(57)【要約】【課題】スプールのフリー回転に連動してスプール軸方向に往復動する釣糸案内体を備えた両軸受型リールにおいて、反ハンドル側の側板を大型化することなく、パーミング性の良い構成を提供する。【解決手段】本発明の両軸受型リールのレベルワインド装置３０を駆動するレベルワインド用動力伝達機構４０は、レベルワインド装置３０に動力が入力される入力ギア４２と、スプール軸５と一体回転する出力ギア４１と、入力ギア４２と出力ギア４１間に設置されるギアトレイン４５と、を有する。そして、ギアトレイン４５の少なくとも一部に、フレーム構造体を構成するセットプレート２Ａに対して軸方向内側と外側に振り分け配設される振り分けギア４７を設けたことを特徴とする。【選択図】  図１
2020150839.tif 000002
【特許請求の範囲】
【請求項１】
左右側板間に回転可能に支持され、ハンドルの回転操作によって回転駆動されるスプール軸に装着されたスプールと、前記スプールに釣糸を均等に巻回するレベルワインド装置と、クラッチ機構をＯＦＦにした際、スプールのフリー回転と同期させて前記レベルワインド装置に駆動力を伝達するレベルワインド用動力伝達機構と、を備えた両軸受型リールにおいて、
前記ハンドルが配設される側の側板は、軸方向内側に前記スプールを配設するフレーム構造体と、フレーム構造体に装着されてギアボックスを形成するカバー体と、を有し、
前記レベルワインド用動力伝達機構は、レベルワインド装置に動力が入力される入力ギアと、前記スプール軸と一体回転する出力ギアと、前記入力ギアと出力ギア間に設置されるギアトレインと、を有し、
前記ギアトレインの少なくとも一部に、前記フレーム構造体に対して軸方向内側と外側に振り分け配設される振り分けギアを設けたことを特徴とする両軸受型リール。
【請求項２】
前記ギアトレインは、前記フレーム構造体の軸方向内側で前記出力ギアに噛合し、前記スプールのフランジ内に収容されて前記振り分けギアに動力伝達する伝達ギアを有することを特徴とする請求項１に記載の両軸受型リール。
【請求項３】
前記フレーム構造体は、前記カバー体に一体的に装着され、前記ギアトレインを回転可能に支持するセットプレートを備えていることを特徴とする請求項１又は２に記載の両軸受型リール。
【請求項４】
前記セットプレートの軸方向内側に支持された振り分けギアの少なくとも一部は、前記スプールのフランジに対して径方向に突出しており、
前記径方向に突出する部分は、前記セットプレートに対向配設されるフレームによって閉塞されていることを特徴とする請求項３に記載の両軸受型リール。
【発明の詳細な説明】
【技術分野】
【０００１】
本発明は、釣糸放出時において、スプールのフリー回転に連動してスプール軸方向に往復動する釣糸案内体を備えたレベルワインド装置を有する両軸受型リールに関する。
【背景技術】
【０００２】
両軸受型リールには、釣糸が巻回されるスプールをクラッチ機構によって動力伝達状態（釣糸巻き取り状態）からフリー回転状態に切り換えて釣糸放出する際、レベルワインド装置の釣糸案内体を停止させる停止型方式と、スプールのフリー回転と共に往復動させる連動型方式がある。後者の方式は、釣糸を放出する際に、スプールの回転と同期して釣糸案内体がスプール前方で往復動するため、釣糸が釣糸案内体から大きな摺動抵抗を受けることはなく、釣糸放出性が向上するというメリットがある。
【０００３】
このような連動方式型の両軸受型リールは、釣糸放出時におけるスプールの回転駆動をレベルワインド装置に伝達する動力伝達機構（レベルワインド用動力伝達機構）を、反ハンドル側に設置するのが一般的となっている（例えば、特許文献１参照）。これは、ハンドル側のギアボックス内には、ハンドルの回転操作をスプール軸に伝達する動力伝達機構（スプール用動力伝達機構）、及び、ドラグ機構等を組み込む必要性があり、スペースが十分に確保できないためである。
【先行技術文献】
【特許文献】
【０００４】
【特許文献１】実開平３−７１７６５号
【発明の概要】
【発明が解決しようとする課題】
【０００５】
上記した特許文献１に開示されている両軸受型リールのように、反ハンドル側の側板内にレベルワインド用動力伝達機構を配設すると、実釣時において、リール本体を把持保持する反ハンドル側の側板側が大型化してしまい、パーミング性が劣るという問題がある。
【０００６】
本発明は、上記した問題に着目してなされたものであり、スプールのフリー回転に連動してスプール軸方向に往復動する釣糸案内体を備えたレベルワインド装置を有する両軸受型リールにおいて、反ハンドル側の側板を大型化することなく、パーミング性の良い両軸受型リールを提供することを目的とする。
【課題を解決するための手段】
【０００７】
上記した目的を達成するために、本発明に係る両軸受型リールは、左右側板間に回転可能に支持され、ハンドルの回転操作によって回転駆動されるスプール軸に装着されたスプールと、前記スプールに釣糸を均等に巻回するレベルワインド装置と、クラッチ機構をＯＦＦにした際、スプールのフリー回転と同期させて前記レベルワインド装置に駆動力を伝達するレベルワインド用動力伝達機構と、を備えており、前記ハンドルが配設される側の側板は、軸方向内側に前記スプールを配設するフレーム構造体と、フレーム構造体に装着されてギアボックスを形成するカバー体と、を有し、前記レベルワインド用動力伝達機構は、レベルワインド装置に動力が入力される入力ギアと、前記スプール軸と一体回転する出力ギアと、前記入力ギアと出力ギア間に設置されるギアトレインと、を有し、前記ギアトレインの少なくとも一部に、前記フレーム構造体に対して軸方向内側と外側に振り分け配設される振り分けギアを設けたことを特徴とする。
【０００８】
上記した構成の両軸受型リールは、レベルワインド用動力伝達機構を構成するギアトレインの一部に、フレーム構造体に対して軸方向内側と外側に振り分け配設される振り分けギアを設けることで、ハンドル側の側板のギアボックスのスペースを効率的に利用してレベルワインド用動力伝達機構を配設することが可能となる。すなわち、反ハンドル側の側板内にレベルワインド用動力伝達機構を配設しないため、反ハンドル側の側板を薄くすることができ、リール本体を大型化することなくパーミング性の向上が図れるようになる。
【発明の効果】
【０００９】
本発明によれば、スプールのフリー回転に連動してスプール軸方向に往復動する釣糸案内体を備えたレベルワインド装置を有する両軸受型リールにおいて、反ハンドル側の側板を大型化することなく、パーミング性の良い両軸受型リールが得られる。
【図面の簡単な説明】
【００１０】
【図１】本発明に係る両軸受型リールの一実施形態を示す部分断面平面図。
【発明を実施するための形態】
【００１１】
以下、図面を参照しながら本発明に係る両軸受型リールについて説明する。
図１は、本発明に係る両軸受型リールの一実施形態を示す部分断面平面図である。
【００１２】
本実施形態に係る両軸受型リールは、左右のフレーム（フレーム構造体）２ａ，２ｂを左右カバー（カバー体）３ａ，３ｂで覆った左右側板１Ａ，１Ｂを備えたリール本体１を有している。前記左右の側板間には、スプール軸５が公知のように軸受を介して回転可能に支持されており、スプール軸５には、釣糸が巻回されるスプール７が一体的に固定されている。前記スプール７は、糸巻胴部７ａと、その左右両側に一体形成されるフランジ部７ｂとを備えており、釣糸は、左右のフランジ部７ｂに規制されて糸巻胴部７ａに巻回される。
【００１３】
本実施形態では、前記スプール７を回転駆動するハンドル８を左側板１Ａ側に設置しており、左フレーム２ａと左カバー３ａとの間の空間（ギアボックス）Ｓには、ハンドル８の回転駆動力をスプール軸５に伝達する公知のスプール用動力伝達機構１０が配設されている。
前記スプール用動力伝達機構１０は、前記ハンドル８を装着したハンドル軸８ａに回転可能に支持されたドライブギア１１と、前記スプール軸５に軸方向に移動に保持され、ドライブギア１１と噛合するピニオンギア１２とを備えている。
【００１４】
前記ドライブギア１１には、ハンドル軸８ａとドライブギア１１との間で摩擦係合してドライブギアに所定の制動力を生じさせる公知のドラグ機構１５が配設されている。制動力は、公知のように、ハンドル軸８ａに装着されるドラグノブ（スタードラグとも称される）１６を回転操作し、ドライブギア１１に面接する制動板１５ａの圧接力を変更することで調整することが可能となっている。
【００１５】
前記ギアボックス内には、スプール軸５を動力伝達状態と動力遮断状態に切り換える公知のクラッチ機構２０が配設されている。このクラッチ機構２０は、スプール７の後方側の左右側板間に配設されたクラッチ切り換え操作部材２１を押し下げ操作することで、クラッチＯＮ状態（動力伝達状態）からＯＦＦ状態（動力遮断状態；スプールフリー回転状態）に切り換えるよう構成されている。
【００１６】
前記クラッチ機構２０は、公知のように、クラッチプレート２２と、クラッチプレート２２とカム係合すると共に、一対の支軸（図では、片方のみが図示）２３ａに軸方向に移動可能に支持された腕状のヨーク部材２３を備えている。ヨーク部材２３は、ピニオンギア１２の円周溝１２ａに係合しており、各支軸２３ａとの間に配設されたバネ部材２４によって常時、クラッチプレート側に付勢された状態で保持されている。そして、操作部材２１を押し下げ操作することでクラッチプレート２２が移動し、クラッチプレート２２とカム係合されているヨーク部材２３は、バネ部材２４の付勢力に抗して軸方向（図中左側）に変位してピニオンギア１２を同方向に摺動させる。これにより、スプール軸５に形成されている係合ピン５ａとピニオンギア１２との係合状態が解除され、スプール軸５（スプール７）は、フリー回転可能な状態となる（クラッチＯＦＦ状態に切り換えられる）。
【００１７】
上記したクラッチＯＦＦ状態において、ハンドル８を回転操作することで、公知の自動復帰機構を介してクラッチプレート２２が初期位置に復帰され、ヨーク部材２３は、前記バネ部材２４の付勢力によって、図中、右側に変位される。これに伴って、ピニオンギア１２もスプール側に摺動し、前記係合ピン５ａと係合してクラッチＯＮ状態に復帰する。
なお、クラッチ機構２０のＯＮ状態への復帰については、操作部材を利用して行うようにしても良い。
【００１８】
また、左右の側板１Ａ，１Ｂ間には、スプール７の釣糸繰出し方向側に、公知のレベルワインド装置３０が配設されている。レベルワインド装置３０は、左右側板間に固定される筒軸３１と、筒軸３１内に回転可能に配設され、外周に螺旋溝３２ａが形成された駆動軸３２と、筒軸３１に対して回り止め固定されると共に、前記螺旋溝３２ａと係合する係合ピン（図示せず）を備え、釣糸が挿通される釣糸案内体３３とを備えている。前記駆動軸３２は、前記ギアボックスに配設されたレベルワイン用動力伝達機構４０を介して回転駆動される。
【００１９】
すなわち、駆動軸３２が、レベルワイン用動力伝達機構４０を介して回転駆動されることで、釣糸案内体３３は、螺旋溝３２ａに係合する係合ピンを介して筒軸３１に沿って左右往復動し、スプール７の糸巻胴部７ａには、釣糸が均等に巻回される。また、駆動軸３２は、クラッチ機構をＯＦＦにした際、スプール７のフリー回転と同期して回転駆動されるようになっており、釣糸案内体３３は、釣糸放出時に左右往復駆動される。
【００２０】
以下、レベルワインド用動力伝達機構４０について説明する。
レベルワインド用動力伝達機構４０は、スプール軸５の左側板側で係合ピン５ａよりも軸方向内側に固定されてスプール軸と一体回転する出力ギア４１と、前記駆動軸３２の端部に固定され、レベルワインド装置３０に動力が入力される入力ギア４２と、出力ギア４１と入力ギア４２との間に設置されるギアトレイン４５と、を備えている。
【００２１】
本実施形態では、入力ギア４２及びギアトレイン４５を、左フレーム２ａに重ねて配設されるセットプレート２Ａに回転可能に支持している。このセットプレート２Ａは、左フレーム２ａと共にフレーム構造体を構成するものであり、左カバー３ａに一体的に取り付けておくことが可能である。このため、左カバー３ａを左フレーム２ａから取り外すと、セットプレート２Ａも左カバー３ａと一体的に外れ、左フレーム２ａに形成されたスプール開口２ｄを露出させることができ、スプール７を容易に取り外すことができると共に、メンテナンス性の向上を図ることが可能となる。
なお、フレーム構造体については、セットプレート２Ａを配設しない構成であっても良く、左フレーム２ａに入力ギア４２及びギアトレイン４５を回転可能に支持する構成であっても良い。
【００２２】
前記ギアトレイン４５は、スプール軸５に固定された出力ギア４１に噛合する中間ギア（伝達ギア）４６、及び、中間ギア４６に噛合する振り分けギア４７を備えている。
前記中間ギア４６は、セットプレート２Ａに対して軸方向内側となる内面側（スプール側）で、スプール７のフランジ部７ｂの径方向内側に回転可能に支持されており、スペースを効率的に活用している。また、前記振り分けギア４７は、セットプレート２Ａの内面側に配設されて前記中間ギア４６に噛合する内側ギア４７ａと、セットプレート２Ａの外面側（左カバー側）に配設されて前記入力ギア４２に噛合する外側ギア４７ｂと、を備えている。
【００２３】
本実施形態の振り分けギア４７は、外側ギア４７ｂの軸部を、軸受４７ｃを介してセットプレート２Ａに回転可能に支持すると共に、内側ギア４７ａを、前記軸部に対して、スプール側から固定ビス４７ｄで固定しており、内側ギア４７ａと外側ギア４７ｂを、セットプレート２Ａを境にして両側面に振り分け配設した構造となっている。すなわち、振り分けギア４７を構成する内側ギア４７ａと外側ギア４７ｂは、セットプレート２Ａの両面側で一体回転駆動されるよう構成されている。
【００２４】
前記内側ギア４７ａは、前記中間ギア４６に噛合することから、前記中間ギア４６と共にスプール７のフランジ部７ｂの径方向内側に配設される構成であっても良いが、図に示すように、その一部がフランジ部７ｂの径方向外方に突出する構造であっても良い。その場合、径方向に突出する部分は、左フレーム２ａの径方向内面に膨出部２ｅを形成しておき、この部分で露出しないように閉塞することが好ましい。すなわち、ギア部分を露出させないことで、釣糸が引っ掛かることを防止することが可能である。
【００２５】
上記した両軸受型リールによれば、レベルワインド用動力伝達機構４０を効率的に構成してハンドル側の側板１Ａのギアボックス内に収容しているため、反ハンドル側の側板１Ｂを薄くすることができ、リール本体１を大型化することなくパーミング性の向上が図れるようになる。また、カウンター（水深計）等を搭載する場合、右側板側にスプール７の回転検知部品等を設けてもスペースが十分に確保されているため、側板形状を変えたり厚肉化することなく（パーミング性能を悪化させることなく）、カウンター等を搭載することが可能となる。
【００２６】
以上、本発明の実施形態について説明したが、本発明は、上記した実施形態に限定されることはなく、種々変形することが可能である。
本発明は、レベルワインド装置３０を駆動するためのレベルワインド用動力伝達機構４０のギアトレインをハンドル側の側板に配設するに際し、その一部のギアをフレーム構造体（セットプレート、或いは、フレーム）に振り分け配置してスペースを効率的に利用することを特徴としている。このため、それ以外の構成、例えば、リール本体の形状、ギアトレインの配置態様、ギアの配設枚数等については、種々変形することが可能である。また、振り分けギアについては、ギアトレイン内で複数備えた構成であっても良く、その配設位置も適宜変形することが可能である。
【符号の説明】
【００２７】
１  リール本体
１Ａ，１Ｂ  左右側板
２ａ，２ｂ  左右フレーム（フレーム構造体）
３ａ，３ｂ  左右カバー
２Ａ  セットプレート（フレーム構造体）
５  スプール軸
７  スプール
７ａ  糸巻胴部
７ｂ  フランジ部
２０  クラッチ機構
３０  レベルワインド装置
４０  レベルワインド用動力伝達機構
４１  出力ギア
４２  入力ギア
４５  ギアトレイン
４７  振り分けギア
【図１】
2020150839.tif 000003